(57)【要約】【課題】  対象者が腕の屈伸など身体機能回復訓練のために、ろくぼくにおける最上端の横木に掴まって懸垂しようとしても、握力が低下している人にとっては使用が困難で転落するなどの危険がある。【解決手段】  固定フレーム部２と昇降フレーム部３と昇降調整部４から構成されたものを用いて、腕を上方に伸ばして膝を少し屈曲させた状態で、ぶら下がり棒３Ｃを両手で掴むことができる程度にぶら下がり棒３Ｃの支持高さを調整してから、ぶら下がり棒３Ｃにぶら下がり安全な訓練ができるように構成されている。【選択図】      図1
0003105691.tif 000002
【実用新案登録請求の範囲】
【請求項１】
固定フレーム部（２）と、昇降フレーム部（３）と、昇降調整部（４）から構成され、  固定フレーム部（２）は、左右の縦角柱（２Ａ、２Ａ）と、これら縦角柱間に所定間隔
をもって張設された各水平横棒（２Ｂ）から構成され、
昇降フレーム部（３）は、固定フレーム部（２）における左右の縦角柱（２Ａ、２Ａ）に対して昇降自在に取付けられたチャンネル材で構成された左右の昇降枠（３Ａ、３Ａ）と、昇降枠（３Ａ、３Ａ）の正面壁に前方に向け突設された左右のアーム枠（３Ｂ、３Ｂ）と、左右のアーム枠の先端間に水平に張設されたぶら下がり棒（３Ｃ）から構成され、
昇降調整部（４）は、固定フレーム部（２）における左右の縦角柱（２Ａ、２Ａ）の上端間に張設された水平上方板（４Ａ）と、昇降フレーム部（３）における左右の昇降枠（３Ａ、３Ａ）間に張設された水平下方板（４Ｂ）と、水平上方板（４Ａ）と水平下方板（４Ｂ）間に配設された回動によって水平下方板（４Ｂ）を昇降させるネジ棒（４Ｃ）から構成され、当該ネジ棒（４Ｃ）の上端にはハンドル（４Ｃ１）が取付けられていることを特徴とするぶら下がり運動器具。
【請求項２】
請求項１記載のぶら下がり運動器具において、ハンドルに代えてネジ棒（４Ｃ）の上端にモータ（４Ｃ４）を取付け、モータでネジ棒（４Ｃ）を回動させることで、ぶら下がり棒（３Ｃ）を所望する支持高さに昇降調整するよう構成したことを特徴とするぶら下がり運動器具。
【請求項３】
請求項１あるいは請求項２記載のぶら下がり運動器具において、左右の縦角柱は、当該左右の縦角柱における背面側の上下位置に取付けられた壁面などへの連結用控（２Ａ１）で起立支持するよう構成されていることを特徴とするぶら下がり運動器具。
【考案の詳細な説明】
【技術分野】
【０００１】
本考案は、新規な構成を有する身体障害者、高齢者などが身体機能回復訓練をするのに好適なぶら下がり運動器具に関するものである。
【背景技術】
【０００２】
従来のこの種の身体機能回復訓練をする用具として、所謂ろくぼく（肋木）が使用されている。
このろくぼくは、一対の縦木に多数の横木を肋骨状に固定したもので、横木によって懸垂、手掛け、足掛けなどができるように構成されている。（非特許文献１参照）
【非特許文献１】広辞苑（１９９１年１１月１５日第四版第一刷発行）、岩波書店、Ｐ２７３９「ろくぼく」の項
【考案の開示】
【考案が解決しようとする課題】
【０００３】
従来のろくぼくは、一応下記のような問題点を指摘することができる。
対象者が身体機能回復訓練のため、最上端の横木に掴まって例えば懸垂しようとしても、握力が低下している人にとっては使用が困難で、無理をすると転落するなどの危険がある。
これは最上端の横木が一定の高さに固定されているため、使用者側の背丈に対応できないからである。
【課題を解決するための手段】
【０００４】
本考案は、上述のような問題を解決するため、下記のようになるものである。
請求項１記載の考案は、固定フレーム部２と、昇降フレーム部３と、昇降調整部４から構成され、
Ａ．固定フレーム部２は、左右の縦角柱２Ａ、２Ａと、これら縦角柱間に所定間隔をもって張設された各水平横棒２Ｂから構成され、
Ｂ．昇降フレーム部３は、固定フレーム部２における左右の縦角柱２Ａ、２Ａに対して昇降自在に取付けられたチャンネル材で構成された左右の昇降枠３Ａ、３Ａと、昇降枠３Ａ、３Ａの正面壁に前方に向け突設された左右のアーム枠３Ｂ、３Ｂと、左右のアーム枠の先端間に水平に張設されたぶら下がり棒３Ｃから構成され、
Ｃ．昇降調整部４は、固定フレーム部２における左右の縦角柱２Ａ、２Ａの上端間に張設された水平上方板４Ａと、昇降フレーム部３における左右の昇降枠３Ａ、３Ａ間に張設された水平下方板４Ｂと、水平上方板４Ａと水平下方板４Ｂ間に配設された回動によって水平下方板４Ｂを昇降させるネジ棒４Ｃから構成され、当該ネジ棒４Ｃの上端にはハンドル４Ｃ１が取付けられていることを特徴とするものである。
【０００５】
請求項２記載の考案は、請求項１記載の考案において、ハンドルに代えてネジ棒４Ｃの上端にモータ４Ｃ４を取付け、モータでネジ棒４Ｃを回動させることで、ぶら下がり棒３Ｃを所望する支持高さに昇降調整するよう構成したことを特徴とするものである。
【０００６】
請求項３記載の考案は、請求項１あるいは請求項２記載の考案において、左右の縦角柱は、当該左右の縦角柱における背面側の上下位置に取付けられた壁面などへの連結用控２Ａ１で起立支持するよう構成されていることを特徴とするものである。
【考案の効果】
【０００７】
本考案の効果は下記の通りである。
Ａ．健常者の場合、図２の如く、ぶら下がり棒３Ｃを従来のように最上端に位置させ、このぶら下がり棒３Ｃを両手で掴むことにより懸垂状態となり、所望する運動、訓練をすることができる。
Ｂ．腕を伸ばすことが困難な患者が、腕を屈伸するような訓練をする場合、図５の如く、腕を上方に伸ばして膝を少し屈曲させた状態で、ぶら下がり棒３Ｃを両手で掴むことができる程度にぶら下がり棒３Ｃの支持高さを調整してから、ぶら下がり棒３Ｃにぶら下がることで、安全な状態で腕を屈伸させる運動をすることができる。
【考案を実施するための最良の形態】
【０００８】
図面を参照して実施の形態の詳細を説明する。
１は本考案のぶら下がり運動器具で、固定フレーム部２と、昇降フレーム部３と、昇降調整部４から構成されている。
【０００９】
Ａ．固定フレーム部２は、左右の縦角柱２Ａ、２Ａと、これら縦角柱間に所定間隔をもって張設された各水平横棒２Ｂから構成されている。
図中、２Ａ１は左右の縦角柱における背面側の上下位置に取付けられた壁面などへの連結用控である。
【００１０】
Ｂ．昇降フレーム部３は、固定フレーム部２における左右の縦角柱２Ａ、２Ａに対して昇降自在に取付けられたチャンネル材で構成された左右の昇降枠３Ａ、３Ａと、昇降枠３Ａ、３Ａの正面壁に前方に向け突設された左右のアーム枠３Ｂ、３Ｂと、左右のアーム枠の先端間に水平に張設されたぶら下がり棒３Ｃから構成されている。
【００１１】
Ｃ．昇降調整部４は、固定フレーム部２における左右の縦角柱２Ａ、２Ａの上端間に張設された水平上方板４Ａと、昇降フレーム部３における左右の昇降枠３Ａ、３Ａ間に張設された水平下方板４Ｂと、水平上方板４Ａと水平下方板４Ｂ間に配設された回動によって水平下方板４Ｂを昇降させるネジ棒４Ｃから構成されている。
すなわち、水平上方板４Ａの中央に開設した貫通孔４Ａ１に貫通させたネジ棒４Ｃを、水平下方板４Ｂの中央に埋め込み配設したナット４Ｂ１に螺合させ、当該ネジ棒４Ｃの上端にはハンドル４Ｃ１が取付けられている。
図中、４Ｃ２はベアリング、４Ｃ３はナットである。
【００１２】
なお、図４を参照して、ハンドルに代えてネジ棒４Ｃの上端にモータ４Ｃ４を取付けることもできる。
上記ハンドル、モータでネジ棒４Ｃを回動させることで、ぶら下がり棒３Ｃを所望する支持高さに昇降調整することができる。
【図面の簡単な説明】
【００１３】
【図１】全体の斜視図である。
【図２】Ａ−Ａ線断面図である。
【図３】Ｂ−Ｂ線断面図である。
【図４】他の実施例の斜視図である。
【図５】使用方法の一例を示す縦断面図である。
【符号の説明】
【００１４】
１  ぶら下がり運動器具
２  固定フレーム部
３  昇降フレーム部
４  昇降調整部
【図１】
0003105691.tif 000003
【図２】
0003105691.tif 000004
【図３】
0003105691.tif 000005
【図４】
0003105691.tif 000006
【図５】
0003105691.tif 000007